(57)【要約】【課題】作業効率を向上させたアイスディスペンサを提供する。【解決手段】貯氷庫本体１０には、２つの氷放出部２０，２１が設けられている。氷放出部２０，２１は、回転軸１３に対して対称な位置に設けられている。氷放出部２０，２１はそれぞれ、貯氷庫本体１０の内周面１０ｂの接線方向に延びると共に開口部１６，１７を介して貯氷庫本体１０の内部に連通するように設けられた氷導出経路２２，２３と、一端が氷導出経路２２，２３に接続されると共に他端に下方を向く開口２４ａ，２５ａが形成された氷放出口２４，２５とを備えている。氷導出経路２２，２３はそれぞれ、貯氷庫本体１０の半径方向に対して互いに逆向きに傾いて延びている。氷導出経路２２，２３と氷放出口２４，２５との接続部分にはそれぞれ、氷導出経路２２，２３を開閉可能に塞ぐようにヒンジで取り付けられた開閉蓋２６，２７が設けられている。【選択図】図２
2008014538.tif 000002
【特許請求の範囲】
【請求項１】
製氷部で製造された氷を貯蔵する貯氷庫と、
前記貯氷庫の内部に連通し、前記貯氷庫の内部の前記氷が放出される複数の氷放出部と
を備えるアイスディスペンサ。
【請求項２】
円筒形状を有する前記貯氷庫の内部に設けられ、回転方向が切替可能なアジテータと、
前記貯氷庫の内部に連通し、前記貯氷庫の内部の前記氷が放出される２つの氷放出部と
を備え、
前記２つの氷放出部は、前記貯氷庫の半径方向に対して互いに逆側に傾いて延びるように設けられる、請求項１に記載のアイスディスペンサ。
【発明の詳細な説明】
【技術分野】
【０００１】
この発明はアイスディスペンサに係り、特に、アイスディスペンサの氷放出部に関する。
【背景技術】
【０００２】
従来のアイスディスペンサの構成が、例えば、特許文献１に記載されている。このようなアイスディスペンサには、貯氷庫の内部の氷を外部に放出するために、氷放出部が１つだけ設けられている。
【０００３】
【特許文献１】特開２００２−２４３３２６号公報（図１，２）
【発明の開示】
【発明が解決しようとする課題】
【０００４】
しかしながら、氷放出部が１つだけしか設けられていない従来のアイスディスペンサでは、氷を放出するための操作が可能なのは１方向のみであるため、アイスディスペンサの設置場所や設置方法に制限があるといった問題点があった。例えば、厨房と客室フロアとを仕切るテーブル上に、このアイスディスペンサを設置すると、厨房側または客室フロア側のいずれか一方のみからしか氷を取り出せないため、お客または従業員のいずれか一方は不便を感じることになる。
【０００５】
この発明はこのような問題点を解決するためになされたもので、作業効率を向上させたアイスディスペンサを提供することを目的とする。
【課題を解決するための手段】
【０００６】
この発明に係るアイスディスペンサは、製氷部で製造された氷を貯蔵する貯氷庫と、貯氷庫の内部に連通し、貯氷庫の内部の氷が放出される複数の氷放出部とを備えている。
円筒形状を有する貯氷庫の内部に設けられ、回転方向が切替可能なアジテータと、貯氷庫の内部に連通し、貯氷庫の内部の前記氷が放出される２つの氷放出部とを備え、２つの氷放出部は、貯氷庫の半径方向に対して互いに逆側に傾いて延びるように設けられていてもよい。
【発明の効果】
【０００７】
この発明によれば、アイスディスペンサの貯氷庫に複数の氷放出部を設けることにより、利用しやすい氷放出部から氷を取り出すことができるようになるので、作業効率を向上させることができる。
【発明を実施するための最良の形態】
【０００８】
以下、この発明の実施の形態を添付図面に基づいて説明する。
図１に示されるように、この発明の実施の形態に係るアイスディスペンサ１は、氷を製氷する製氷部２と、製氷部２で製氷された氷を貯蔵する貯氷庫３とを備えている。
【０００９】
製氷部２は、出入口冷却パイプ１９が取り付けられたバルジ式円筒型熱交換器５と、バルジ式円筒型熱交換器５の円筒内部に回転自在に設けられると共に螺旋刃６ａを有するオーガ６と、オーガ６を回転させるギヤドモータ７と、バルジ式円筒型熱交換器５の上部に設けられた押圧頭８と、出入口冷却パイプ１９に連通する図示しない冷凍装置とを備えている。押圧頭８の上部には、バルジ式円筒型熱交換器５で製造された氷を適当な大きさに折るカッター９が設けられている。
【００１０】
貯氷庫３は、下端が閉じると共に上端が開口した円筒状の貯氷庫本体１０と、貯氷庫本体１０の上端の開口を覆うように設けられたカバー１１とを備えている。貯氷庫本体１０の内部には、アジテータ１２が設けられている。アジテータ１２は回転軸１３を備え、回転軸１３は、貯氷庫本体１０の閉じた下端である底面１０ａの中心部分を貫通するように下方に延び、貯氷庫本体１０の下方において、回転軸１３を回転させるギヤドモータ１４に接続されている。ギヤドモータ１４は回転軸１３の回転方向を２方向に切替可能になっており、これにより、アジテータ１２は、貯氷庫本体１０の内部において、回転が２方向へ切替可能になっている。
【００１１】
製氷部２と貯氷庫３とは、スパウト１５によって連結されている。スパウト１５は、一端がカッター９を内部に含むように押圧頭８の上端に上方から接続されると共に、他端が末広がり状の形状を有してカバー１１に側方から接続されている。
【００１２】
図２に、貯氷庫本体１０を上方から見たときの平面図を示す。貯氷庫本体１０には、貯氷庫本体１０の内部と連通する２つの氷放出部２０，２１が設けられている。氷放出部２０，２１は、回転軸１３に対して対称な位置に設けられている。氷放出部２０，２１はそれぞれ、貯氷庫本体１０の内周面１０ｂの接線方向に延びると共に開口部１６，１７を介して貯氷庫本体１０の内部に連通するように設けられた氷導出経路２２，２３と、一端が氷導出経路２２，２３に接続されると共に他端に下方を向く開口２４ａ，２５ａが形成された氷放出口２４，２５とを備えている。氷導出経路２２は、回転軸１３と開口部１６とを結ぶ仮想線Ｌ１、すなわち貯氷庫本体１０の半径方向に対して左側に傾くように延びている。一方、氷導出経路２３は、回転軸１３と開口部１７とを結ぶ仮想線Ｌ２、すなわち貯氷庫本体１０の半径方向に対して右側に傾くように延びている。したがって、氷導出経路２２，２３はそれぞれ、貯氷庫本体１０の半径方向に対して互いに逆向きに傾いて延びている。氷導出経路２２，２３と氷放出口２４，２５との接続部分にはそれぞれ、氷導出経路２２，２３を開閉可能に塞ぐようにヒンジで取り付けられた開閉蓋２６，２７が設けられている。氷放出部２０，２１から氷１８が放出されないときは、開閉蓋２６，２７は閉まった状態になっている。
【００１３】
次に、この実施の形態に係るアイスディスペンサの動作を、図１に基づいて説明する。
アイスディスペンサ１に電源が入れられると、製氷部２の図示しない冷凍装置が始動し、出入口冷却パイプ１９を冷媒が流通する。バルジ式円筒型熱交換器５の円筒内部の内周面上には製氷水が供給され、出入口冷却パイプ１９内を流通する冷媒と熱交換を行うことによって、バルジ式円筒型熱交換器５の円筒内の内周面上に氷が生成する。ギヤドモータ７によってオーガ６が回転すると、生成された氷は螺旋刃６ａによって削り取られて上方に送られる。オーガ６によって上方に送られた氷は押圧頭８を通過する際に圧縮されて棒状の氷となり、カッター９によって適当な長さに切断される。適当な長さに切断された氷は、スパウト１５を介して貯氷庫３の貯氷庫本体１０の内部に放出され、貯氷庫本体１０の内部に貯蔵される。
【００１４】
次に、貯氷庫本体１０の内部から氷が放出される原理を、図２に基づいて説明する。
氷放出部２０から氷を取り出す場合には、アジテータ１２が反時計回り（矢印Ａの方向）に回転するように、ギヤドモータ１４（図１参照）が回転軸１３を回転させる。すると、貯氷庫本体１０の内部で氷１８が矢印Ａの方向に回転する。氷１８が矢印Ａの方向に回転すると、開口部１６近傍の氷１８は、氷導出経路２２に沿って開口部１６から放出される。開口部１６から放出された氷１８は、氷導出経路２２に沿って移動した後、開閉蓋２６を押し開くことによって氷放出口２４に移動し、氷放出口２４の開口２４ａから放出される。一方、開口部１７近傍の氷１８は、矢印Ａの方向に回転すると、氷導出経路２３に沿って貯氷庫本体１０の内部に戻されるように移動する。したがって、アジテータ１２の回転に伴い、貯氷庫本体１０の内部で氷１８が回転し、これにより氷１８が氷放出部２０から放出されるが、アジテータ１２が矢印Ａの方向に回転する場合には、氷放出部２１から氷１８は放出されず、氷放出部２０のみから氷１８が放出される。
【００１５】
逆に氷放出部２１から氷を取り出す場合には、アジテータ１２が時計回り（矢印Ｂの方向）に回転するように、ギヤドモータ１４（図１参照）が回転軸１３を回転させる。すると、貯氷庫本体１０の内部で氷１８が矢印Ｂの方向に回転する。氷１８が矢印Ｂの方向に回転すると、開口部１７近傍の氷１８は、氷導出経路２３に沿って開口部１７から放出される。開口部１７から放出された氷１８は、氷導出経路２３に沿って移動した後、開閉蓋２７を押し開くことによって氷放出口２５に移動し、氷放出口２５の開口２５ａから放出される。また、氷放出部２０から氷１８を放出する場合と同様の原理によって、氷放出部２０からは氷１８が放出されない。したがって、アジテータ１２の回転に伴い、貯氷庫本体１０の内部で氷１８が回転し、これにより氷１８が氷放出部２１から放出されるが、アジテータ１２が矢印Ｂの方向に回転する場合には、氷放出部２０から氷１８は放出されず、氷放出部２１のみから氷１８が放出される。
【００１６】
次に、このアイスディスペンサ１の利用形態の一例として、アイスディスペンサ１を厨房と客室フロアとを仕切るテーブル上に置いた状態を、図３に示す。
テーブル３０は、厨房と客室フロアとを仕切るように置かれている。テーブル３０上には、厨房側に氷放出部２０が向くと共に客室フロア側に氷放出部２１が向くように、アイスディスペンサ１が置かれている。これにより、客室フロアにいるお客は氷放出部２１から氷を取り出すことができ、厨房で働いている従業員は氷放出部２０から氷を取り出すことができる。したがって、お客も従業員も、現在いる場所からテーブル３０に対して反対側に移動して氷を取り出す必要がなくなるので、不便さを感じずに、アイスディスペンサ１を使用することができる。
【００１７】
このように、アイスディスペンサ１に２つの氷放出部２０，２１を設けることにより、利用しやすい方の氷放出部から氷を取り出すことができるようになるので、アイスディスペンサ１の作業効率を向上させることができる。
また、円筒形状を有する貯氷庫本体１０の内部に設けられ、回転方向が切替可能なアジテータ１２と、貯氷庫本体１０の内部に連通し、貯氷庫本体１０の内部の氷１８が放出される２つの氷放出部２０，２１とを備え、２つの氷放出部２０，２１はそれぞれ、貯氷庫本体１０の半径方向に対して互いに逆側に傾いて延びる氷導出経路２２，２３を備えているので、アジテータ１２の回転方向によって氷放出部２０，２１のうちのいずれか一方のみから氷を取り出すことができる。これにより、アイスディスペンサ１の作業効率を向上させることができる。
【００１８】
この実施の形態では、貯氷庫本体１０の内部のアジテータ１２を回転することによって氷を放出するアイスディスペンサを例にして説明したが、これに限定するものではない。開閉可能なシャッターを氷放出部に設け、シャッターの開閉によって氷を取り出すアイスディスペンサにおいて、氷放出部を複数設けてもよい。
また、この実施の形態では、アイスディスペンサ１に２つの氷放出部２０，２１を設けたが、２つに限定するものではない。アイスディスペンサ１の大きさや設置場所に応じて、適当な位置に３つ以上の氷放出部を設けることもできる。
【図面の簡単な説明】
【００１９】
【図１】この発明の実施の形態に係るアイスディスペンサの構成図である。
【図２】この実施の形態に係るアイスディスペンサの貯氷庫本体の平面図である。
【図３】この実施の形態に係るアイスディスペンサの利用形態の一例を示す平面配置図である。
【符号の説明】
【００２０】
１  アイスディスペンサ、２  製氷部、３  貯氷庫、１２  アジテータ、１８  氷、２０，２１  氷放出部。
【図１】
2008014538.tif 000003
【図２】
2008014538.tif 000004
【図３】
2008014538.tif 000005